【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
分散医療感知システムであって、
第１の滅菌野内に位置し、第１の複数の感知手法に関する第１の医療特性データを収集するように構成される１以上の第１の身体感知装置と、
前記第１の医療特性データを前記１以上の第１の身体感知装置から受信するように、前記第１の滅菌野内に位置し、前記１以上の第１の身体感知装置に通信可能に接続される第１のハブと、
第１のユーザインタフェース装置であって、前記１以上の第１の身体感知装置のユーザ制御を提供するように、前記第１の滅菌野に関連し、前記第１のハブに通信可能に接続される、第１のユーザインタフェース装置と、
前記第１の滅菌野から離れた第２の滅菌野内に位置し、第２の複数の感知手法に関する第２の医療特性データを収集するように構成される１以上の第２の身体感知装置と、
前記第２の医療特性データを前記１以上の第２の身体感知装置から受信するように、前記第２の滅菌野内に位置し、前記１以上の第２の身体感知装置に通信可能に接続される第２のハブと、
前記第１および第２の滅菌野の外側にあり、前記第１および第２のハブに通信可能に接続する計算装置であって、前記計算装置は、前記第１及び第２のユーザインタフェース装置それぞれに表示する目的で、前記第１および第２の医療特性データをそれぞれ前記第１および第２のハブから受信し、前記第１および第２の医療特性データを処理し、前記処理された第１および第２の医療特性データをそれぞれ前記第１および第２のハブに送信するように構成される、計算装置と、
を備える、システム。
【請求項２】
請求項１に記載の分散医療感知システムであって、前記第１および第２のハブおよび前記計算装置は、コンピュータ通信ネットワークに通信可能に接続する、システム。
【請求項３】
請求項１に記載の分散医療感知システムであって、前記１以上の第１の身体感知装置は、身体の血管に入るように構成されるカテーテルを含む、システム。
【請求項４】
請求項３に記載の分散医療感知システムであって、前記カテーテルは、血管内超音波（ＩＶＵＳ）撮像、光干渉断層撮影（ＯＣＴ）、および圧力測定のうちの１つのために構成されるセンサを含む、システム。
【請求項５】
請求項１に記載の分散医療感知システムであって、前記計算装置は、第１および第２の滅菌野のいずれとも異なる部屋に配置される、システム。
【請求項６】
請求項１に記載の分散医療感知システムであって、前記第１および第２のハブは、前記第１および第２の医療特性データを前記計算装置に送信する前に、前記第１および第２の医療特性データをそれぞれ圧縮するようにさらに操作可能である、システム。
【請求項７】
請求項１に記載の分散医療感知システムであって、前記第１および第２のハブは、前記第１および第２の医療特性データを前記計算装置に送信する前に、識別情報を前記第１および第２の医療特性データにそれぞれ関連付けるようにさらに操作可能である、システム。
【請求項８】
請求項７に記載の分散医療感知システムであって、前記識別情報は、患者情報、タイムスタンプ情報、および感知手法情報のうちの１または複数を含む、システム。
【請求項９】
請求項１に記載の分散医療感知システムであって、前記第１および第２のユーザインタフェース装置は、それぞれ、第１及び第２の滅菌野に位置する第１及び第２のベッドサイドコントローラを含む、システム。
【請求項１０】
請求項９に記載の分散医療感知システムであって、前記第１及び第２のベッドサイドコントローラは、ユーザの入力を受け取るように構成されるタッチスクリーン・インタフェースを含み、前記第１及び第２のベッドサイドコントローラは、前記ユーザの入力に基づいて、前記１以上の第１及び第２の身体感知装置のユーザ制御を提供するように構成される、システム。
【請求項１１】
請求項９に記載の分散医療感知システムであって、更に以下を含む、システム：
第１の制御室コントローラであって、前記第１のハブに通信可能に接続され、前記第１の滅菌野外に配置され、前記第１の制御室コントローラは、前記１以上の身体感知装置に関連する第１のワークフローの態様を制御し、前記第１のベッドサイドコントローラは、前記１以上の第１の身体感知装置に関連する第２のワークフローの態様を制御する、第１の制御室コントローラ；及び
第２の制御室コントローラであって、前記第２のハブに通信可能に接続され、前記第２の滅菌野外に配置され、前記第２の制御室コントローラは、前記１以上の第２の身体感知装置に関連する第１のワークフローの態様を制御し、前記第２のベッドサイドコントローラは、前記第２の滅菌野内にある前記１以上の第２の身体感知装置に関連する第２のワークフローの態様を制御する、第２の制御室コントローラ。
【請求項１２】
請求項１に記載の分散医療感知システムであって、前記計算装置は、拡張可能に配置された複数の計算エンジンを含み、その結果、他の計算エンジンを破壊することなく、追加の計算エンジンを、前記計算装置に追加することができる、システム。
【請求項１３】
請求項１に記載の分散医療感知システムであって、前記配置された複数の計算エンジンは、前記第１の医療特性データ及び前記第２の医療特性データに関連する処理要求に基づいて自動的に配置されるように構成される、該システム。
【手続補正２】
【補正対象書類名】明細書
【補正対象項目名】００６３
【補正方法】変更
【補正の内容】
【００６３】
例示実施形態を図示し、説明してきたが、広範な修正、変更および代替を前述の開示において企図している。ある事例では、対応する別の特徴を用いずに、本開示の一部の特徴を使用してもよい。たとえば、一部の実施形態では、医療感知システム１００の集中計算リソースを用いて、頭部動脈または抹消動脈からのデータなどの心臓血管ではない診断データ、ならびに脈管ではない身体部分からのデータを処理してもよい。さらに、システム１００を用いてＭＲＩデータを収集および処理してもよく、またはコンピュータ支援手術（ＣＡＳ）での適用に利用してもよい。このような変形は、本開示の範囲から逸脱することなく、前述のなかで行うことができることを理解されたい。したがって、添付の請求項が広範に、かつ本開示の範囲と一致する様式で解釈されることが適切である。
一側面において、本発明は以下の発明を包含する。
（発明１）
医療感知データを通信する方法であって、
患者通信システムで、医療感知処置中に医療感知装置によって収集した医療感知データを受信することと、
前記患者通信システムで、データメッセージを作成することであって、前記データメッセージは、前記医療感知データと、前記医療感知処置に関する情報と、前記医療感知データに関する情報の少なくとも一部を含むことと、および、
前記患者通信システムで、前記データメッセージを集中計算装置にデータネットワークを介して送信することと、
を含む、方法。
（発明２）
発明１に記載の医療感知データを通信する方法であって、
前記データメッセージを作成することは、前記医療感知データのすべての部分を共に含む複数のパケットを作成することを含み、および、
前記送信は、前記複数のパケットを前記集中計算装置に送信することを含む、
方法。
（発明３）
発明２に記載の医療感知データを通信する方法であって、前記複数のパケットを生成することは、前記医療感知処置に関する前記情報と、前記複数のパケットの第１のパケットの前記医療感知データに関する前記情報とを内包することと、前記複数のパケットに後続する各パケットの一意なユニバーサル識別子を内包することとを含み、前記一意なユニバーサル識別子は前記医療感知処置と関連する、方法。
（発明４）
発明１に記載の医療感知データを通信する方法であって、前記患者通信システムで、前記医療感知データをアナログ方式で受信する場合は、前記医療感知データをデジタル化することを含む、方法。
（発明５）
発明１に記載の医療感知データを通信する方法であって、前記医療感知処置に関する前記情報は、前記医療感知処置の日付および時間、前記医療感知処置の場所、前記医療感知処置を受けている患者に関する識別情報、前記医療感知処置を実施する医療施術者に関する識別情報のうちの少なくとも１つを含む、方法。
（発明６）
発明１に記載の医療感知データを通信する方法であって、前記医療感知データに関する前記情報は、タイムスタンプ、手法情報、アナログからデジタルへの変換情報、圧縮情報、およびワークフロー識別情報のうちの少なくとも１つを含む、方法。
（発明７）
発明１に記載の医療感知データを通信する方法であって、
患者通信システムで、処理された形式での前記医療感知データを含む別のデータメッセージを、前記集中計算装置から前記データネットワークを介して受信することと、
前記別のデータメッセージを前記処理された医療感知データを表示するように操作可能であるユーザインタフェース装置に送信することと、
をさらに含む、方法。
（発明８）
分散医療感知システムであって、
コンピュータ通信ネットワークと、
第１の医療センサ装置および前記コンピュータ通信ネットワークに通信可能に接続する第１の患者通信システムであって、前記第１の患者通信システムは、前記コンピュータ通信ネットワークを介して、第１の複数のパケットを送信するように操作可能であり、前記第１の複数のパケットは、前記第１の医療センサ装置によって第１の患者から収集した第１の医療データを含有し、また第１の患者情報も含有する第１の患者通信システムと、
第２の医療センサ装置および前記コンピュータ通信ネットワークに通信可能に接続する第２の患者通信システムであって、前記第２の患者通信システムは、前記コンピュータ通信ネットワークを介して、第２の複数のパケットを送信するように操作可能であり、前記第２の複数のパケットは、前記第２の医療センサ装置によって第２の患者から収集した第２の医療データを含有し、また第２の患者情報も含有する第２の患者通信システムと、
前記コンピュータ通信ネットワークに通信可能に接続し、第１および第２の複数のパケットを受信するように操作可能であり、前記第１の患者情報に基づく前記第１の医療データおよび前記第２の患者情報に基づく前記第２の医療データをそれぞれ処理するように操作可能である集中計算装置と、
を備える、システム。
（発明９）
発明８に記載の分散医療感知システムであって、前記集中計算装置は、前記第１および第２の医療データを同時に処理するように構成される、システム。
（発明１０）
発明８に記載の分散医療感知システムであって、前記第１および第２の医療データは、同一の医療感知手法に関連する、システム。
（発明１１）
発明８に記載の分散医療感知システムであって、前記第１および第２の医療データは異なる医療感知手法に関連する、システム。
（発明１２）
発明１１に記載の分散医療感知システムであって、前記集中計算装置は、前記第１の医療データを、前記第１の手法に関連する第１の処理アプリケーションで処理するようにさらに操作可能であり、前記第２の医療データを、前記第２の手法に関連する第２の処理アプリケーションで処理するようにさらに操作可能である、システム。
（発明１３）
発明８に記載の分散医療感知システムであって、前記第１の患者情報は、前記第１の患者に関する識別情報と、前記第１の患者の位置に関する情報と、前記第１の医療データに関する手法情報とを含む、システム。
（発明１４）
発明８に記載の分散医療感知システムであって、前記集中計算装置は、前記第１の医療データを前記第１の手法に関連する第１の処理アプリケーションで処理するようにさらに操作可能であり、前記第１の処理アプリケーションは、前記集中計算装置によって実行される複数の処理アプリケーションのうちの１つである、システム。
（発明１５）
発明８に記載の分散医療感知システムであって、前記第１の患者通信システムは、前記第１の医療データをデジタル化するように操作可能であるアナログからデジタルへの変換器と、前記コンピュータ通信ネットワークに通信可能に接続する通信モジュールとを含む、システム。
（発明１６）
発明８に記載の分散医療感知システムであって、前記第１の患者通信システムは、第１の処置室内に配置される第１のベッドサイドユーティリティボックス（ＢＵＢ）であり、前記第２の患者通信システムは、前記第１の処置室とは異なる第２の処置室内に配置される第２のＢＵＢである、システム。
（発明１７）
発明８に記載の分散医療感知システムであって、前記第１の患者通信システムは患者隔離モジュール（ＰＩＭ）である、システム。
（発明１８）
発明８に記載の分散医療感知システムであって、前記第１の患者通信モジュールは、前記コンピュータ通信ネットワークを介して前記第１の複数のパケットを送信する前に、前記第１の医療データを圧縮するように操作可能である、システム。
（発明１９）
発明８に記載の分散医療感知システムであって、前記第１の患者情報は、前記第１の患者に関連する一意なユニバーサル識別子を含む、システム。
（発明２０）
発明８に記載の分散医療感知システムであって、前記第１の患者通信システムに通信可能に接続する第１のユーザインタフェース装置を含み、前記第１のユーザインタフェース装置は、前記第１の患者通信システムを介して、前記第１の医療データを処理された形式で前記集中計算装置から受信するように操作可能である、システム。
（発明２１）
医療データの処理方法であって、
集中計算装置で、コンピュータ通信ネットワークを介して第１のメッセージデータを受信することであって、前記第１のメッセージデータは、第１の医療感知処置中に第１の医療センサ装置によって作成された第１の医療感知データと、前記第１の医療感知処置に関する情報と、前記第１の医療感知データに関する情報とを含むことと、
前記集中計算装置を用いて、前記第１の医療感知処置に関する前記情報および前記第１の医療感知データに関する前記情報に基づいて前記第１の医療データを処理することと、
前記集中計算装置を用いて、第２のメッセージデータを第１のユーザインタフェース装置まで前記コンピュータ通信ネットワークを介して送信することであって、前記第２のメッセージデータは、前記第１の医療データを処理された形式で含有し、前記第１のユーザインタフェース装置は、前記第１の医療データを処理された形式で表示するように操作可能であることと、
を備える、方法。
（発明２２）
発明２１に記載の医療データの処理方法であって、前記集中計算装置で、前記第１のメッセージデータの前記受信と同時に、第３のメッセージデータを前記コンピュータ通信ネットワークを介して受信することを含み、前記第３のメッセージデータは、第２の医療感知処置中に第２の医療センサ装置によって作成された第２の医療感知データと、前記第２の医療感知処置に関する情報と、前記第２の医療感知データに関する情報とを含む、方法。
（発明２３）
発明２２に記載の医療データの処理方法であって、前記集中計算装置を用いて前記第１の医療データの前記処理と同時に、前記第２の医療感知処置に関する前記情報および前記第２の医療感知データに関する前記情報に基づく前記第２の医療データを処理することを含む、方法。
（発明２４）
発明２２に記載の医療データの処理方法であって、前記第１および第２の医療データは同一の医療感知手法に関連する、方法。
（発明２５）
発明２１に記載の医療データの処理方法であって、前記第１の医療感知処置に関する前記情報は、前記第１の医療感知処置の日付および時間、前記第１の医療感知処置の場所、前記第１の医療感知処置を受けている患者に関する識別情報、および前記第１の医療感知処置を実施する医療施術者に関する識別情報のうちの少なくとも１つを含む、方法。
（発明２６）
発明２１に記載の医療データの処理方法であって、前記医療感知データに関する前記情報は、タイムスタンプ、手法情報、アナログからデジタルへの変換情報、圧縮情報、およびワークフロー識別情報のうちの少なくとも１つを含む、方法。
（発明２７）
発明２１に記載の医療データの処理方法であって、前記処理は、前記第１の医療データの医療感知手法に関連する第１の処理アプリケーションを用いて前記第１の医療データを処理することを含み、前記第１の処理アプリケーションは、前記集中計算装置によって実行可能な複数の処理アプリケーションのうちの１つである、方法。
（発明２８）
発明２１に記載の医療データの処理方法であって、前記第１の医療データの前記処理は、前記第１の医療データを、前記第１の医療データを表す画像データに変換することを含む、方法。
（発明２９）
分散医療感知システムであって、
医療特性を感知するように構成される第１の身体感知装置であって、前記第１の身体感知装置は第１の滅菌野に位置する第１の身体感知装置と、
医療特性を感知するように構成される第２の身体感知装置であって、前記第２の身体感知装置は第２の滅菌野に位置し、前記第２の滅菌野は前記第１の滅菌野からから離間する第２の身体感知装置と、
前記第１および第２の滅菌野の外側にあり、前記第１および第２の身体感知装置に通信可能に接続する計算装置であって、前記計算装置は、第１および第２の医療特性データを前記第１および第２の身体感知装置からそれぞれ受信し、前記第１および第２の医療特性データを処理し、前記処理された第１および第２の医療特性データをそれぞれ第１および第２のユーザインタフェース装置に送信するように構成され、前記第１のユーザインタフェースは前記第１の滅菌野に関連し、前記第２のユーザインタフェース装置は前記第２の滅菌野に関連する、計算装置と
を備える、システム。
（発明３０）
発明２９に記載の分散医療感知システムであって、前記第１および第２の滅菌野の外側に位置するデータ記憶装置を含み、前記データ記憶装置は少なくとも前記処理された第１および第２の医療特性データを記憶するように構成される、システム。
（発明３１）
発明２９に記載の分散医療感知システムであって、前記第１の身体感知装置は、身体の血管に入るように構成されるカテーテルを含む、システム。
（発明３２）
発明３１に記載の分散医療感知システムであって、前記カテーテルは、血管内超音波（ＩＶＵＳ）撮像、光干渉断層撮影（ＯＣＴ）、および冠血流予備量値（ＦＦＲ）判定のうち１つのために構成されるセンサを含む、システム。
（発明３３）
発明２９に記載の分散医療感知システムであって、
前記第１および第２の滅菌野は異なる処置室にあり、
前記計算装置は、前記第１および第２の滅菌野のいずれとも異なる部屋に配置される、システム。
（発明３４）
発明３３に記載の分散医療感知システムであって、前記計算装置は、前記第１および第２の滅菌野とは異なる建物に位置する、システム。
（発明３５）
発明３３に記載の分散医療感知システムであって、前記第１および第２の滅菌野は、お互いに異なる建物にある、システム。
（発明３６）
発明３３に記載の分散医療感知システムであって、
前記第１および第２の滅菌野は同一の建物にあり、
前記第１および第２の身体感知装置と前記計算装置との間に通信可能に介入するサイトマネージャをさらに含み、前記サイトマネージャは、前記第１および第２の身体感知装置と前記計算装置との間のデータ送信を管理するように操作可能である、システム。
（発明３７）
発明２９に記載の分散医療感知システムであって、前記第１および第２の医療特性データは、異なる感知手法に関連する、システム。
（発明３８）
発明２９に記載の分散医療感知システムであって、前記計算装置は、拡張可能に配置された複数の計算エンジンを含む、システム。
（発明３９）
発明２９に記載の分散医療感知システムであって、前記計算装置は、前記第１および第２の医療特性データを同時に処理するように操作可能である、システム。
（発明４０）
発明２９に記載の分散医療感知システムであって、前記データ記憶装置は、拡張可能に配置された複数のデータ記憶ユニットを含む、システム。
（発明４１）
医療データの処理方法であって、
計算装置で、第１および第２の医療特性データを第１および第２の身体感知装置それぞれから受信することであって、前記第１および第２の身体感知装置は、第１および第２の離間した滅菌野にそれぞれ位置し、前記計算装置は前記第１および第２の滅菌野の外側にあることと、
前記計算装置で、前記第１および第２の医療特性データを処理することと、
前記計算装置で、前記処理された第１および第２の医療特性データをそれぞれ第１および第２のユーザインタフェース装置に送信することであって、前記第１のユーザインタフェースは、前記第１の滅菌野に関連し、前記第２のユーザインタフェース装置は、前記第２の滅菌野に関連することと、
を含む、方法。
（発明４２）
発明４１に記載の医療データの処理方法であって、前記処理された第１および第２の医療特性データを前記第１および第２の滅菌野の外側にあるデータ記憶装置に記憶することをさらに含む、方法。
（発明４３）
発明４１に記載の医療データの処理方法であって、前記第１の医療特性データの前記処理は、前記第２の医療特性データの前記処理と同時に実施される、方法。
（発明４４）
発明４１に記載の医療データの処理方法であって、前記第１および第２の医療特性データの前記処理は、拡張可能に配置された複数の計算エンジンによって実施される、方法。
（発明４５）
発明４１に記載の医療データの処理方法であって、前記第１および第２の医療特性データは、異なる感知手法に関連する、方法。
（発明４６）
発明４１に記載の医療データの処理方法であって、前記第１および第２の医療特性データの前記処理は、前記第１の医療特性データを第１の感知手法に関連する第１の処理アプリケーションで処理することと、前記第２の医療特性データを前記第１の感知手法とは異なる第２の感知手法に関連する第２の処理アプリケーションで処理することとを含む、方法。
（発明４７）
発明４１に記載の医療データの処理方法であって、前記第１および第２の医療特性データの前記受信は、前記受信を管理するように操作可能なサイトマネージャと通信することを含む、方法。
（発明４８）
発明４１に記載の医療データの処理方法であって、前記第１および第２の医療特性データの前記受信は、カテーテルを身体の血管に導入することによって収集したデータを受信することを含む、方法。
（発明４９）
発明４８に記載の医療データの処理方法であって、前記第１および第２の医療特性データは、血管内超音波（ＩＶＵＳ）撮像データ、光干渉断層撮影（ＯＣＴ）データ、および冠血流予備量値（ＦＦＲ）データのうちの少なくとも１つを含む、方法。
（発明５０）
発明４１に記載の医療データの処理方法であって、前記処理された第１および第２の医療特性データの前記記憶は、前記データを拡張可能な記憶装置アレイに記憶することを含む、方法。
（発明５１）
発明４１に記載の医療データの処理方法であって、前記計算装置は、前記第１および第２の滅菌野とは異なる建物に位置する、方法。
（発明５２）
発明４１に記載の医療データの処理方法であって、前記第１および第２の滅菌野は、お互いに異なる建物にある、方法。
（発明５３）
発明４１に記載の医療データの処理方法であって、前記第１および第２の医療特性データの前記処理は、前記第１および第２の医療特性データを、前記第１および第２の医療特性データを表す第１および第２の人間可読形式のデータにそれぞれ変換することを含む、方法。
（発明５４）
分散医療感知システムであって、
処置室の滅菌野に配置され、医療データを滅菌野の患者から収集するように構成される医療感知装置と、
前記処置室に配置され、前記医療感知装置およびデータネットワークに通信可能に接続するベッドサイドユーティリティボックスであって、前記ベッドサイドユーティリティボックスは、前記医療データを前記医療感知装置から受信し、前記データネットワークを介して前記医療データを送信するように構成される前記ベッドサイドユーティリティボックスと、
前記ベッドサイドユーティリティボックスに通信可能に接続し、前記患者に関連するワークフローを制御するように構成されるベッドサイドコントローラと、
前記処置室とは別の部屋に配置され、前記データネットワークに通信可能に接続する集中計算装置であって、前記集中計算装置は、前記医療データを受信し、前記医療データを画像データに変換するように構成される集中計算装置と、
を備える、システム。
（発明５５）
発明５４に記載の分散医療感知システムであって、前記医療感知装置はカテーテル感知装置である、システム。
（発明５６）
発明５４に記載の分散医療感知システムであって、前記データネットワークに通信可能に接続する複数のベッドサイドユーティリティボックスを含み、複数のベッドサイドユーティリティボックスのそれぞれは、異なる処置室に配置され、それぞれ異なる処置室に配置される患者から収集した医療データを前記集中計算装置に送信するように構成される、システム。
（発明５７）
発明５４に記載の分散医療感知システムであって、前記ベッドサイドコントローラは、前記処置室の心電図（ＥＣＧ）装置に通信可能に接続する、システム。
（発明５８）
発明５４に記載の分散医療感知システムであって、前記ベッドサイドコントローラは、タッチ画面を含み、該タッチ画面上では、ワークフロー制御がグラフィカルユーザインタフェースシステムに設けられている、システム。
（発明５９）
発明５４に記載の分散医療感知システムであって、前記ベッドサイドユーティリティボックスは、前記データネットワークを介して前記医療データを送信する前に、前記医療データをパケット化するように構成される、システム。
（発明６０）
発明５４に記載の分散医療感知システムであって、前記医療感知装置と前記ベッドサイドユーティリティボックスとの間に接続される患者隔離モジュール（ＰＩＭ）を含む、システム。
（発明６１）
分散医療感知システムであって、
第１の医療特性データを第１の身体感知装置から受信するように構成される第１のハブであって、前記第１の身体感知装置は第１の滅菌野に位置する第１のハブと、
第２の医療特性データを第２の身体感知装置から受信するように構成される第２のハブであって、前記第２の身体感知装置は、前記第１の滅菌野から離間する第２の滅菌野に位置する第２のハブと、
前記第１および第２の滅菌野の外側にあり、前記第１および第２のハブに通信可能に接続する計算装置であって、前記計算装置は、前記第１および第２の医療特性データをそれぞれ前記第１および第２のハブから受信し、前記第１および第２の医療特性データを処理し、前記処理された第１および第２の医療特性データをそれぞれ前記第１および第２のハブに送信するように構成される、計算装置と、
を備える、システム。
（発明６２）
発明６１に記載の分散医療感知システムであって、前記第１および第２のハブおよび前記計算装置は、コンピュータ通信ネットワークに通信可能に接続する、システム。
（発明６３）
発明６１に記載の分散医療感知システムであって、前記第１および第２のハブは、それぞれ前記第１および第２の滅菌野に隣接する、システム。
（発明６４）
発明６１に記載の分散医療感知システムであって、前記第１および第２のハブはそれぞれ、前記処理された第１および第２の医療特性データをそれぞれ前記第１および第２の滅菌野に関連する第１および第２のユーザインタフェース装置それぞれに送信するようにさらに構成される、システム。
（発明６５）
発明６１に記載の分散医療感知システムであって、前記第１の身体感知装置は、身体の血管に入るように構成されるカテーテルを含む、システム。
（発明６６）
発明６５に記載の分散医療感知システムであって、前記カテーテルは、血管内超音波（ＩＶＵＳ）撮像、光干渉断層撮影（ＯＣＴ）、および冠血流予備量値（ＦＦＲ）判定のうちの１つのために構成されるセンサを含む、システム。
（発明６７）
発明６１に記載の分散医療感知システムであって、前記計算装置は、第１および第２の滅菌野のいずれとも異なる部屋に配置される、システム。
（発明６８）
発明６１に記載の分散医療感知システムであって、前記第１および第２のハブは、前記第１および第２の医療特性データを前記計算装置に送信する前に、前記第１および第２の医療特性データをそれぞれ圧縮するようにさらに操作可能である、システム。
（発明６９）
発明６１に記載の分散医療感知システムであって、前記第１および第２のハブは、前記第１および第２の医療特性データを前記計算装置に送信する前に、識別情報を前記第１および第２の医療特性データにそれぞれ関連付けるようにさらに操作可能である、システム。
（発明７０）
発明６９に記載の分散医療感知システムであって、前記識別情報は、患者情報、タイムスタンプ情報、および感知手法情報のうちの１または複数を含む、システム。
（発明７１）
医療データの処理方法であって、
第１のハブで、第１の医療特性データを第１の身体感知装置から受信することであって、前記第１の身体感知装置は第１の滅菌野に位置することと、
第２のハブで、第２の医療特性データを第２の身体感知装置から受信することであって、前記第２の身体感知装置は前記第１の滅菌野から離間する第２の滅菌野に位置することと、
前記第１のハブを用いて、前記第１の医療特性データを前記第１の滅菌野の外側の計算装置まで送信することと、
前記第２のハブを用いて、前記第２の医療特性データを前記計算装置まで送信することと、
前記第１のハブで、処理された第１の医療特性データを前記計算装置から受信することと、
前記第２のハブで、処理された第２の医療特性データを前記計算装置から受信することと、
を備える、方法。
（発明７２）
発明７１に記載の医療データの処理方法であって、前記第１の医療特性データの前記送信と、前記第２の医療特性データの前記送信は、コンピュータ通信ネットワークを介してデータを送信することを含む、方法。
（発明７３）
発明７１に記載の医療データの処理方法であって、
前記第１のハブを用いて、前記処理された第１の医療特性データを前記第１の滅菌野に関連する第１のユーザインタフェース装置に送信することを含み、
前記第２のハブを用いて、前記処理された第２の医療特性データを前記第２の滅菌野に関連する第２のユーザインタフェース装置に送信することを含む、方法。
（発明７４）
発明７１に記載の医療データの処理方法であって、
前記第１のハブおよび前記第１の滅菌野は、第１の処置室に配置され、前記第２のハブおよび前記第２の滅菌野は、前記第１の処置室から離間する第２の処置室に配置される、方法。
（発明７５）
発明７１に記載の医療データの処理方法であって、前記第１の医療特性データの前記送信は、前記第２の医療特性データの前記送信と同時に実施される、方法。
（発明７６）
発明７１に記載の医療データの処理方法であって、前記第１の医療特性データの前記送信および前記第２の医療特性データの前記送信は、前記送信を管理するように操作可能であるサイトマネージャと通信することを含む、方法。
（発明７７）
発明７１に記載の医療データの処理方法であって、前記第１および第２の医療特性データは異なる感知手法に関連する、方法。
（発明７８）
発明７１に記載の医療データの処理方法であって、前記第１の医療特性データの前記受信は、カテーテルを身体の血管に導入することによって収集したデータを受信することを含む、方法。
（発明７９）
発明７８に記載の医療データの処理方法であって、前記第１の医療特性データは、血管内超音波（ＩＶＵＳ）撮像データ、光干渉断層撮影（ＯＣＴ）データ、および冠血流予備量値（ＦＦＲ）データのうちの１つを含む、方法。
（発明８０）
発明７１に記載の医療データの処理方法であって、
前記第１の医療特性データの前記計算装置への前記送信は、前記第１の滅菌野のサイズに対して大きい第１の距離を超えてデータを送信することを含み、
前記第２の医療特性データの前記計算装置への前記送信は、前記第２の滅菌野のサイズに対して大きい第２の距離を超えてデータを送信することを含む、方法。
（発明８１）
発明８０に記載の医療データの処理方法であって、前記第１および第２の距離は１キロメートルより長い、方法。
（発明８２）
発明７１に記載の医療データの処理方法であって、
前記第１の医療特性データの前記計算装置への前記送信は、前記第１の医療特性データを圧縮することを含み、
前記第２の医療特性データの前記計算装置への前記送信は、前記第２の医療特性データを圧縮することを含む、方法。
（発明８３）
発明７１に記載の医療データの処理方法であって、
前記第１の医療特性データの前記計算装置への前記送信は、第１の識別情報を前記第１の医療特性データに関連付けることを含み、
前記第２の医療特性データの前記計算装置への前記送信は、第２の識別情報を前記第２の医療特性データに関連付けることを含む、方法。
（発明８４）
発明８３に記載の医療データの処理方法であって、
前記第１の識別情報の前記第１の医療特性データへの前記関連付けは、前記第１の識別情報および前記第１の医療特性データを含有する第１のメッセージを作成することを含み、
前記第２の識別情報の前記第２の医療特性データへの前記関連付けは、前記第２の識別情報および前記第２の医療特性データを含有する第２のメッセージを作成することを含む、方法。
（発明８５）
発明８３に記載の医療データの処理方法であって、前記第１の識別情報は、患者情報、タイムスタンプ情報、接続識別子、および感知手法情報のうちの１または複数を含む、方法。
（発明８６）
発明８３に記載の医療データの処理方法であって、前記識別情報は、患者情報と関連する一意なユニバーサル識別子を含む、方法。
（発明８７）
分散医療感知システムを用いる方法であって、
身体感知装置をハブに接続することであって、前記身体感知装置はその上に配置されるセンサを含むことと、
前記センサを利用して、第１の滅菌野の患者に関連する第１の医療特性データを収集することと、
前記第１の医療特性データを、前記第１の滅菌野の外側にあって、前記ハブに通信可能に接続する遠隔計算装置に送信することと、
前記計算装置を制御して、前記第１の医療特性データを処理することであって、前記計算装置は、第２の滅菌野から送信される第２の医療特性データを前記第１の医療特性データの前記処理と同時に処理するように操作可能であり、前記第２の滅菌野は前記第１の滅菌野から離間することと、
前記滅菌野に関連するユーザインタフェースで、前記処理された第１の医療特性データを前記計算装置から受信することであって、前記ユーザインタフェースは前記ハブに通信可能に接続することと、
を含む、方法。
（発明８８）
発明８７に記載の分散医療感知システムを用いる方法であって、前記センサの前記利用はカテーテルを前記患者の血管に導入することを含み、前記センサは前記カテーテルの遠位端に配置される、方法。
（発明８９）
発明８７に記載の分散医療感知システムを用いる方法であって、第１の医療特性データを収集するための前記センサの前記利用は、血管内超音波（ＩＶＵＳ）撮像データ、光干渉断層撮影（ＯＣＴ）データ、フォワードルッキングＩＶＵＳ（ＦＬ−ＩＶＵＳ）データ、冠血流予備量値（ＦＦＲ）データ、冠血流予備能（ＣＦＲ）データ、および血管造影データのうちの１つを収集することを含む、方法。
（発明９０）
発明８７に記載の分散医療感知システムを用いる方法であって、前記計算装置の前記制御は、前記計算装置に、前記処理された第１の医療特性データを拡張可能な記憶装置アレイに記憶するように指示することを含む、方法。
（発明９１）
発明８７に記載の分散医療感知システムを用いる方法であって、前記第１および第２の医療特性データは、それぞれ第１および第２の感知手法に関連する、方法。
（発明９２）
医療感知同期システムであって、
第１の医療感知手法に関連する第１の医療データを収集して、タイムスタンプを付けるように構成される第１の医療感知装置と、
前記第１の医療感知手法とは異なる第２の医療感知手法に関連する第２の医療データを収集して、タイムスタンプを付けるように構成される第２の医療感知装置と、
前記第１および第２の医療感知装置に通信可能に接続し、リアルタイムクロックを含むハブであって、前記ハブは同期信号を前記リアルタイムクロックに基づいて前記第１および第２の医療感知装置に送信するように構成されるハブと、
を備え、
前記第１および第２の医療感知装置は、前記ハブから受信する前記同期信号に基づいて前記第１および第２の医療データにタイムスタンプをそれぞれ付けるように構成される、システム。
（発明９３）
発明９２に記載の医療感知同期システムであって、前記ハブに通信可能に接続する集中コンピュータをさらに含み、マスタリアルタイムクロックを含み、前記集中コンピュータは、前記ハブの前記リアルタイムクロックを前記マスタリアルタイムクロックと同期するように構成される、システム。
（発明９４）
発明９３に記載の医療感知同期システムであって、前記集中コンピュータに通信可能に接続する複数のハブをさらに含み、複数のハブのそれぞれはリアルタイムクロックを有し、前記集中コンピュータは、前記複数のハブのそれぞれの前記リアルタイムクロックを前記マスタリアルタイムクロックと同期するように構成される、システム。
（発明９５）
発明９３に記載の医療感知同期システムであって、前記集中コンピュータは前記第１および第２の医療データを前記ハブから受信し、前記第１および第２の医療データをこれら医療データに付けられる前記タイムスタンプに基づいて時間的に重ね合わせるように構成される、システム。
（発明９６）
発明９２に記載の医療感知同期システムであって、前記同期信号は、矩形波クロック信号およびエッジベースのクロック信号のうちの１つである、システム。
（発明９７）
発明９２に記載の医療感知同期システムであって、前記ハブと前記第１の医療感知装置との間に接続され、その間で前記同期信号を伝えるように構成される伝導体をさらに含む、システム。
（発明９８）
発明９２に記載の医療感知同期システムであって、
前記第１の医療感知手法は、血管内超音波（ＩＶＵＳ）撮像、血管内光音響（ＩＶＰＡ）撮像、光干渉断層撮影（ＯＣＴ）、フォワードルッキングＩＶＵＳ（ＦＬ−ＩＶＵＳ）、冠血流予備量値（ＦＦＲ）、冠血流予備能（ＣＦＲ）、および血管造影のうちの１つであり、
前記第２の医療感知手法は、ＩＶＵＳ撮像、ＩＶＰＡ撮像、ＯＣＴ、ＦＬ−ＩＶＵＳ、ＦＦＲ、ＣＦＲ、および血管造影のうちの異なる１つである、システム。
（発明９９）
医療感知同期システムであって、
第１の医療感知手法に関連する第１の医療データを収集するように構成される第１の医療感知装置と、
前記第１の医療感知手法とは異なる第２の医療感知手法に関連する第２の医療データを収集するように構成される第２の医療感知装置と、
前記第１および第２の医療感知装置に通信可能に接続し、前記第１および第２の医療感知データを受信するように構成されるハブと、
前記ハブに通信可能に接続し、前記第１および第２の医療感知データを前記ハブから受信するように構成される集中計算装置であって、前記集中計算装置は、データが送信されてもよい期間である複数のタイムスロットを有する同期通信ネットワークを介して、前記ハブに通信可能に接続される集中計算装置と、
を備え、
前記ハブは、第１の数の前記複数のタイムスロットを前記第１の医療感知装置に割り当て、第２の数の前記複数のタイムスロットを前記第２の医療装置に割り当てるようにさらに構成され、前記集中コンピュータに、前記第１の数のタイムスロットの間に前記第１の医療データを送信し、前記第２の数のタイムスロットの間に前記第２の医療データを送信するように構成される、システム。
（発明１００）
発明９９に記載の医療感知同期システムであって、
前記第１の医療感知装置は、前記第１の医療データを第１の率で収集し、
前記第２の医療感知装置は、前記第２の医療データを第２の率で収集し、
前記ハブは、前記第１および第２の数のタイムスロットを前記第１の率と前記第２の率との間の相対差に基づいて割り当てるようにさらに構成される、システム。
（発明１０１）
発明１００に記載の医療感知同期システムであって，
前記第１の率は前記第２の率より大きく、
前記第１の数のタイムスロットは前記第２の数のタイムスロットより大きい、システム。
（発明１０２）
発明９９に記載の医療感知同期システムであって、前記ハブは、同期タイムスタンプを前記第１および第２の医療データに、前記第１および第２の医療データが送信されるそれぞれの前記タイムスロットに一部基づいて割り当てるようにさらに構成される、システム。
（発明１０３）
発明９９に記載の医療感知同期システムであって、前記集中コンピュータは、タイムスタンプを前記第１および第２の医療データに、前記第１および第２の医療データが送信されるそれぞれの前記タイムスロットに一部基づいて割り当てるようにさらに構成される、システム。
（発明１０４）
発明９９に記載の医療感知同期システムであって、前記同期ネットワークは、同期光学ネットワーク（ＳＯＮＥＴ）プロトコルに適合する、システム。
（発明１０５）
発明９９に記載の医療感知同期システムであって、
前記第１の医療感知手法は、血管内超音波（ＩＶＵＳ）撮像、血管内光音響（ＩＶＰＡ）撮像、光干渉断層撮影（ＯＣＴ）、フォワードルッキングＩＶＵＳ（ＦＬ−ＩＶＵＳ）、冠血流予備量値（ＦＦＲ）、冠血流予備能（ＣＦＲ）、および血管造影のうちの１つであり、
前記第２の医療感知手法は、ＩＶＵＳ撮像、ＩＶＰＡ撮像、ＯＣＴ、ＦＬ−ＩＶＵＳ、ＦＦＲ、ＣＦＲ、および血管造影のうちの異なる１つである、システム。
（発明１０６）
医療データ収集を同期する方法であって、
ハブを用いて、前記ハブに通信可能に接続する第１および第２の医療感知装置に初期化メッセージを送信して、前記第１および第２の医療感知装置のそれぞれのタイムスタンプをリセットすることと、
前記ハブを用いて、前記第１および第２の医療感知装置の前記タイムスタンプを同期し、それによって各装置が、前記ハブからの要求に応答して、同一のタイムスタンプを報告することと、
前記ハブを用いて、開始メッセージを前記第１および第２の医療感知装置に送信することであって、前記開始メッセージは、共通時間に前記第１および第２の医療感知装置に医療感知データの取得を開始させることと、
前記ハブで、前記第１の医療感知装置からの第１のタイムスタンプを有する第１の医療データおよび前記第２の医療感知からの第２のタイムスタンプを有する第２の医療データを受信することであって、前記第１および第２の医療データが同時に収集された場合は、前記第１のタイムスタンプおよび前記第２のタイムスタンプは同一である、方法。
（発明１０７）
発明１０６に記載の医療データ収集を同期する方法であって、前記同期は、
前記ハブを用いて、前記第１および第２の医療感知装置それぞれからのタイムスタンプを要求し、および受信することと、
前記第１および第２の医療感知装置から受信する前記要求されるタイムスタンプを比較することと、
前記要求されるタイムスタンプが同一ではない場合、前記ハブを用いて、前記第１および第２の医療感知装置のうちの１つのタイムスタンプを進めるように指示することと、
前記第１および第２の医療感知装置のそれぞれが、前記ハブからの要求に応答して前記同一のタイムスタンプを報告するまで、前記要求、比較、および指示を繰り返すことと、
を含む、方法。
（発明１０８）
発明１０６に記載の医療データ収集を同期する方法であって、前記ハブは、前記同期を実施するために、リアルタイムクロックを利用する、方法。
（発明１０９）
発明１０６に記載の医療データ収集を同期する方法であって、前記ハブを用いて、同期信号を前記第１および第２の医療感知装置に送信して、医療データ収集を同期することをさらに含む、方法。
（発明１１０）
発明１０６に記載の医療データ収集を同期する方法であって、前記第１および第２の医療感知装置は、異なる医療感知手法に関連する、方法。
（発明１１１）
発明１１０に記載の医療データ収集を同期する方法であって、
前記第１の医療感知装置は、血管内超音波（ＩＶＵＳ）撮像、血管内光音響（ＩＶＰＡ）撮像、光干渉断層撮影（ＯＣＴ）、フォワードルッキングＩＶＵＳ（ＦＬ−ＩＶＵＳ）、冠血流予備量値（ＦＦＲ）、冠血流予備能（ＣＦＲ）、および血管造影のうちの１つに関連し、
前記第２の医療感知装置は、ＩＶＵＳ撮像、ＩＶＰＡ撮像、ＯＣＴ、ＦＬ−ＩＶＵＳ、ＦＦＲ、ＣＦＲ、および血管造影のうちの異なる１つに関連する、方法。
（発明１１２）
分散医療感知システムであって、
通信ネットワークを介して受信した医療感知データを処理するように構成される集中コンピュータであって、前記集中コンピュータはグランドマスタタイムサーバを含む集中コンピュータと、
前記集中コンピュータに前記通信ネットワークを介して通信可能に接続するハブであって、前記ハブは前記グランドマスタタイムサーバと同期されるマスタタイムサーバを含むハブと、
前記ハブに通信可能に接続し、第１の医療感知手法に関連する第１の医療データを収集するように構成される第１の医療感知装置であって、前記第１の医療感知装置は、前記マスタタイムサーバの第１の時間クライアントである第１の医療感知装置と、
前記ハブに通信可能に接続し、前記第１の医療感知手法とは異なる第２の医療感知手法に関連する第２の医療データを収集するように構成される第２の医療感知装置であって、前記第２の医療感知装置は、前記マスタタイムサーバの第２の時間クライアントである第２の医療感知装置と、
を備え、
前記ハブは、前記マスタタイムサーバを用いて前記第１および第２の医療感知データの収集を同期するように構成される、システム。
（発明１１３）
発明１１２に記載の分散医療感知システムであって、前記グランドマスタタイムサーバは、前記マスタタイムサーバをネットワークベースの時刻同期プロトコルを用いて同期する、システム。
（発明１１４）
発明１１３に記載の分散医療感知システムであって、前記ネットワークベースの時刻同期プロトコルは、高精度タイムプロトコル（ＰＴＰ）およびネットワークタイムプロトコル（ＮＴＰ）のうちの１つである、システム。
（発明１１５）
発明１１２に記載の分散医療感知システムであって、前記ハブは、前記第１および第２の医療感知データの収集を同期するために、前記マスタタイムサーバに基づいて、同期信号を前記第１および第２の医療感知装置に送信するようにさらに構成される、システム。
（発明１１６）
発明１１２に記載の分散医療感知システムであって、前記ハブは、前記第１および第２の医療データを前記第１および第２の医療感知装置から受信するときに、前記第１および第２の医療データにタイムスタンプを関連付けるようにさらに構成され、前記タイムスタンプは前記マスタタイムサーバに基づく、システム。
（発明１１７）
発明１１６に記載の分散医療感知システムであって、前記集中コンピュータは、前記第１および第２の医療データを前記ハブから受信し、前記第１および第２の医療データに付けられた前記タイムスタンプに基づいて、前記第１および第２の医療データを時間的に重ね合わせるように構成される、システム。
（発明１１８）
発明１１２に記載の分散医療感知システムであって，
前記第１の医療感知手法は、血管内超音波（ＩＶＵＳ）撮像、血管内光音響（ＩＶＰＡ）撮像、光干渉断層撮影（ＯＣＴ）、フォワードルッキングＩＶＵＳ（ＦＬ−ＩＶＵＳ）、冠血流予備量値（ＦＦＲ）、冠血流予備能（ＣＦＲ）、および血管造影のうちの１つであり、
前記第２の医療感知手法は、ＩＶＵＳ撮像、ＩＶＰＡ撮像、ＯＣＴ、ＦＬ−ＩＶＵＳ、ＦＦＲ、ＣＦＲ、および血管造影のうちの異なる１つである、システム。